(57)【要約】【課題】本発明は、ユーザの使用状況に合わせて無線音声出力機能を自動的に設定できるようにする。【解決手段】本発明は、楽曲データに基づく音声を出力するヘッドホン端子１６とヘッドホン４との接続状態又は非接続状態を検出し、ヘッドホン端子１６とヘッドホン４との接続状態が検出された場合、無線音声送受信部１４による無線音声出力を自動的に停止させ、ヘッドホン端子１６とヘッドホン４との非接続状態が検出された場合、無線音声送受信部１４により無線音声出力を自動的に開始するように制御すれば、ヘッドホン４の接続状態に応じて無線音声出力を自動的に停止させたり、開始させることが出来るので、ユーザに対して煩わしい設定動作を行わせることなく使い勝手を向上させることができる。【選択図】図１
2008035400.tif 000002
【特許請求の範囲】
【請求項１】
音声信号に基づく音声を外部へ出力する音声出力端子と、
上記音声出力端子と所定の音声出力手段との接続状態又は非接続状態を検出する接続状態検出手段と、
上記音声信号に基づく音声を無線によって外部へ出力する無線音声出力手段と、
上記接続状態検出手段によって上記接続状態が検出された場合、上記無線音声出力手段による無線音声出力を自動的に停止させ、上記非接続状態が検出された場合、上記無線音声出力手段による無線音声出力を自動的に開始させるように制御する制御手段と
を具えることを特徴とするオーディオ装置。
【請求項２】
上記制御手段は、上記無線音声出力手段により上記無線音声出力を行っている最中に、上記接続状態検出手段によって上記非接続状態が検出された場合、上記無線音声出力を継続する
ことを特徴とする請求項１に記載のオーディオ装置。
【請求項３】
上記制御手段は、上記非接続状態が検出された場合、上記無線音声出力手段からの上記無線音声出力を受信可能な受信機器を探索し、当該受信機器を探索できたときにのみ上記無線音声出力を自動的に開始させる
ことを特徴とする請求項１に記載のオーディオ装置。
【請求項４】
上記制御手段は、上記非接続状態が検出された場合、上記無線音声出力手段からの上記無線音声出力を受信可能な受信機器を探索し、当該受信機器を探索できなかったときには上記音声信号の再生処理を停止させる
ことを特徴とする請求項１に記載のオーディオ装置。
【請求項５】
上記制御手段は、上記非接続状態が検出された場合、上記無線音声出力手段からの上記無線音声出力を受信可能な受信機器を探索し、当該受信機器を探索できなかったときには上記オーディオ装置の電源を落とす
ことを特徴とする請求項１に記載のオーディオ装置。
【請求項６】
音声信号に基づく音声を外部へ出力する音声出力端子と所定の音声出力手段との接続状態又は非接続状態を検出する接続状態検出ステップと、
上記音声信号に基づく音声を無線によって外部へ出力する無線音声出力ステップと、
上記接続状態検出ステップによって上記接続状態が検出された場合、上記無線音声出力ステップによる無線音声出力を自動的に停止させ、上記非接続状態が検出された場合、上記無線音声出力ステップによる無線音声出力を自動的に開始させるように制御する制御ステップと
を具えることを特徴とする無線音声出力制御方法。
【請求項７】
情報処理装置に対して、
音声信号に基づく音声を外部へ出力する音声出力端子と所定の音声出力手段との接続状態又は非接続状態を検出する接続状態検出ステップと、
上記音声信号に基づく音声を無線によって外部へ出力する無線音声出力ステップと、
上記接続状態検出ステップによって上記接続状態が検出された場合、上記無線音声出力ステップによる無線音声出力を自動的に停止させ、上記非接続状態が検出された場合、上記無線音声出力ステップによる無線音声出力を自動的に開始させるように制御する制御ステップと
を実行させることを特徴とする無線音声出力制御プログラム。
【発明の詳細な説明】
【技術分野】
【０００１】
本発明は、オーディオ装置、無線音声出力制御方法及び無線音声出力制御プログラムに関し、例えば携帯型オーディオプレーヤに適用して好適なものである。
【背景技術】
【０００２】
従来、音楽を聴くユーザのスタイルとしては、家庭に大量のオーディオコンテンツを有し、据置型オーディオ機器を介して聴取し、外出時には大量のオーディオコンテンツの一部（例えば数枚のＣＤ(Compact Disc)）を持ち出し、これらを携帯型オーディオプレーヤで聴取することが一般的であった。
【０００３】
しかし、最近の携帯型オーディオプレーヤ市場では、大容量のハードディスクドライブやフラッシュメモリ等の記憶媒体を搭載した携帯型オーディオプレーヤが主流となり、この記憶媒体に大量のオーディオコンテンツを格納することが出来るようになったので、家庭でも外出先でも携帯型オーディオプレーヤを用いて音楽を聴取するスタイルが一般化しつつある。
【０００４】
この場合、家庭では携帯型オーディオプレーヤが出力する音楽をより高音質でユーザが楽しむために、携帯型オーディオプレーヤの音声出力端子と家庭内の据置型オーディオ機器の音声入力端子とをケーブルによって接続し、当該据置型オーディオ機器のスピーカから聴取する場合が一般的である。また、ケーブルを接続する煩わしさを解消するために、携帯型オーディオプレーヤ専用のアクティブスピーカシステムも近年では普及し始めている。
【０００５】
さらに近年の携帯型オーディオプレーヤでは、ヘッドホンケーブルによる接続の煩わしさを解消すべく、例えばブルートゥース（登録商標）やＦＭ(Frequency Modulation)トランスミッタ等の無線音声出力機能を有するタイプも存在し、ヘッドホンケーブルを接続する必要がないので使い勝手に優れている。
【０００６】
このような携帯型オーディオプレーヤを用いれば、ユーザは、無線音声出力機能によって外出時にはヘッドホンにより自分だけで音楽を楽しむことができ、家庭では無線音声出力機能により無線送信した再生信号を据置型オーディオ機器のスピーカから高音質な音声として楽しむことができる。
【０００７】
ところで、このようなワイヤレスヘッドホンシステムについては、赤外線を使用して無線送信するものもある（例えば、特許文献１参照）。
【特許文献１】特許第2770389号明細書
【０００８】
また、ヘッドホンプラグが抜かれたときの信号に基づいて入力ソース及び音響処理を初期化することにより、利用者の入れ替わりにより別のユーザがヘッドホンプラグを抜き差ししてオーディオを動作させたとき、音質、音量あるいは入力ソース等に関する前の利用者の設定が残らないようにしたオーディオ装置がある（例えば、特許文献２参照）。
【特許文献２】特開2003-204592公報
【発明の開示】
【発明が解決しようとする課題】
【０００９】
ところでかかる構成の携帯型オーディオプレーヤにおいては、家庭で無線音声出力機能により再生信号を据置型オーディオ機器へ無線送信させるためには、ユーザがヘッドホンケーブルを音声出力端子から取り外し、かつ無線音声出力を行わせるための設定動作を行わなければならず、使い勝手が非常に悪いという問題があった。
【００１０】
本発明は以上の点を考慮してなされたもので、ユーザの使用状況に合わせて無線音声出力機能を自動的に設定し得る使い勝手の優れたオーディオ装置、無線音声出力制御方法及び無線音声出力制御プログラムを提案しようとするものである。
【課題を解決するための手段】
【００１１】
かかる課題を解決するため本発明においては、音声信号に基づく音声を外部へ出力する音声出力端子と所定の音声出力手段との接続状態又は非接続状態を検出し、音声信号に基づく音声を無線によって外部へ出力し、音声出力端子と音声出力手段との接続状態が検出された場合、無線音声出力を自動的に停止させ、音声出力端子と音声出力手段との非接続状態が検出された場合、無線音声出力を自動的に開始するように制御すれば、音声出力手段の接続状態に応じて無線音声出力を自動的に停止させたり、開始させることが出来るので、ユーザに対して煩わしい設定動作を行わせることなく使い勝手を向上させることができる。
【発明の効果】
【００１２】
本発明によれば、音声出力手段の接続状態に応じて無線音声出力を自動的に停止させたり、開始させることが出来るので、ユーザに対して煩わしい設定動作を行わせることなく使い勝手を向上させることができ、かくしてユーザの使用状況に合わせて無線音声出力機能を自動的に設定し得る使い勝手の優れたオーディオ装置、無線音声出力制御方法及び無線音声出力制御プログラムを実現することができる。
【発明を実施するための最良の形態】
【００１３】
以下、図面について、本発明の一実施の形態を詳述する。
【００１４】
（１）オーディオシステムの構成
図１において、１は全体として本発明における一実施の形態のオーディオシステムを示し、ユーザが外出時等に持ち運ぶことが可能な携帯型オーディオプレーヤ２と、家庭内で用いられる据置型オーディオ機器３とによって構成されている。
【００１５】
携帯型オーディオプレーヤ２は、電源部１７から供給される電力に基づいてＣＰＵ(Central Processing Unit)構成でなる制御用マイクロコンピュータ１０及び各回路が動作すると共に、制御用マイクロコンピュータ１０が全体を統括制御しており、入力部１２を介して楽曲の選択操作、ボリューム調整操作、及び各種メニュー設定操作等をユーザに実行させると共に、その操作に関する種々の内容を蛍光表示管、液晶ディスプレイ或いは有機ＥＬ(Electroluminescence)ディスプレイ等でなる表示部１３に表示する。
【００１６】
携帯型オーディオプレーヤ２の制御用マイクロコンピュータ１０は、入力部１２を介してユーザ所望の楽曲が選択されると、その楽曲に対応した音楽データを、フラッシュメモリやハードディスク等でなる音楽データ格納用の記憶部１５から読み出し、その再生信号を音声出力用アンプ１１へ送出する。音声出力用アンプ１１は、その再生信号を所定レベルに増幅し、ヘッドホン端子１６を介してヘッドホン４から再生音として出力する。
【００１７】
また携帯型オーディオプレーヤ２の制御用マイクロコンピュータ１０は、記憶部１５から読み出した楽曲データの再生信号を例えばブルートゥース（登録商標）等の無線音声送受信部１４を介して据置型オーディオ機器３へ無線送信し得るようになされている。
【００１８】
据置型オーディオ機器３は、携帯型オーディオプレーヤ２の無線音声送受信部１４から無線送信されてくる再生信号を無線音声送受信部２２で受信し、これを音声出力用アンプ２１へ送出する。音声出力用アンプ２１は、無線音声送受信部２２から供給された再生信号を所定レベルに増幅し、その増幅した再生信号に応じた再生音をスピーカ２３から出力する。
【００１９】
これによりオーディオシステム１では、携帯型オーディオプレーヤ２で再生した楽曲データに基づく再生信号を据置型オーディオ機器３へ無線伝送し、当該据置型オーディオ機器３のスピーカ２３から高音質な再生音として出力し得るようになされている。
【００２０】
このような本発明のオーディオシステム１においては、携帯型オーディオプレーヤ２を用いてヘッドホン４により再生音をユーザが聴取するのは外出時が多く、家庭に戻ってきてからは一般的にヘッドホン４のプラグをヘッドホン端子１６から抜き取り、表示部１３を介してメニュー設定を変更することにより、無線音声送受信部１４から再生信号を据置型オーディオ機器３へ無線伝送し、当該据置型オーディオ機器３のスピーカ２３から高音質な再生音をユーザに聴取させることが一般的である。
【００２１】
しかしながら、ユーザにとっては、ヘッドホン４のプラグをヘッドホン端子１６から抜き取った後、更に表示部１３を介して無線音声送受信部１４による無線音声出力機能を動作させるためにメニュー設定を変更しなければならず、面倒な手順を強いられていたが、本発明のオーディオシステム１では後述するオートモード又はロックモードをユーザに使い分けさせることにより、このような点を解消して操作性を一段と向上させている。
【００２２】
具体的にオーディオシステム１では、携帯型オーディオプレーヤ２の制御用マイクロコンピュータ１０がヘッドホン４のプラグがヘッドホン端子１６に接続された状態（以下、これを接続状態と呼ぶ）にあるか、接続されていない状態（以下、これを非接続状態と呼ぶ）にあるかを監視しており、オートモードの場合に接続状態であることを検出したとき無線音声送受信部１４から再生信号の無線送信（以下、これを無線音声出力と呼ぶ）を停止し、オートモードの場合に非接続状態であることを検出したとき無線音声送受信部１４による無線音声出力を開始するようになされている。
【００２３】
すなわち図２に示すように携帯型オーディオプレーヤ２の制御用マイクロコンピュータ１０は、オートモードの場合に、ヘッドホン４のプラグがヘッドホン端子１６に接続された接続状態を検出すると、ユーザが据置型オーディオ機器３から再生音を聴取する意思がないと判断し、無線音声送受信部１４による無線音声出力を停止し、ヘッドホン４からのみ再生音を出力するようになされている。
【００２４】
また図３に示すように携帯型オーディオプレーヤ２の制御用マイクロコンピュータ１０は、オートモードの場合に、ヘッドホン４のプラグがヘッドホン端子１６から取り外された非接続状態を検出すると、ユーザが携帯型オーディオプレーヤ２のヘッドホン４から再生音を聴取する意思がないと判断し、無線音声送受信部１４による無線音声出力を開始し、据置型オーディオ機器３のスピーカ２３からのみ再生音を出力するようになされている。
【００２５】
但し、オーディオシステム１では、上述のオートモードの場合についての基本的な考え方の一例であり、オートモードにおける処理の詳細や、ロックモードにおける処理については以下具体的に説明する。
【００２６】
（２）携帯型オーディオプレーヤの無線音声出力機能設定処理手順
図４に示すようにオーディオシステム１における携帯型オーディオプレーヤ２の制御用マイクロコンピュータ１０は、ルーチンＲＴ１の開始ステップから入って次のステップＳＰ１へ移り、無線音声送受信部１４による無線音声出力を行う機能（以下、これを無線音声出力機能と呼ぶ）をオートモードに設定するか否かを判定する。
【００２７】
ここで肯定結果が得られると、このことは無線音声出力機能をオートモードに設定するための操作が入力部１２を介して行われたことを表しており、このとき携帯型オーディオプレーヤ２の制御用マイクロコンピュータ１０は、次のステップＳＰ２へ移る。
【００２８】
ステップＳＰ２において携帯型オーディオプレーヤ２の制御用マイクロコンピュータ１０は、無線音声出力機能をオートモードに設定することにより、上述したヘッドホン４の接続状態又は非接続状態に応じて無線音声送受信部１４による無線音声出力を停止するか開始するかを自動的に切り換えられる状態に遷移させ、ステップＳＰ７へ移って処理を終了する。
【００２９】
これに対してステップＳＰ１で否定結果が得られると、このことは無線音声出力機能をオートモードに設定するための操作ではなく、ロックモードに設定するための操作が入力部１２を介して行われたことを表しており、このとき携帯型オーディオプレーヤ２の制御用マイクロコンピュータ１０は次のステップＳＰ３へ移る。
【００３０】
ステップＳＰ３において携帯型オーディオプレーヤ２の制御用マイクロコンピュータ１０は、無線音声出力機能をロックモードに設定し、次のステップＳＰ４へ移る。ここでロックモードとは、無線音声送受信部１４による無線音声出力機能を常時オン状態又は常時オフ状態に設定し、無線音声出力機能を終始機能させるか或いは終始停止させておくかの何れかに固定することをいう。
【００３１】
ステップＳＰ４において携帯型オーディオプレーヤ２の制御用マイクロコンピュータ１０は、ロックモード時の無線音声出力をオン状態に設定するか否かを判定する。ここで肯定結果が得られると、次のステップＳＰ５へ移り、ロックモード時の無線音声出力をオン状態に設定し、ステップＳＰ７へ移って処理を終了するのに対し、否定結果が得られるとステップＳＰ６へ移ってロックモード時の無線音声出力をオフ状態に設定し、次のステップＳＰ７へ移って無線音声出力機能設定処理手順を終了する。
【００３２】
（３）無線音声出力機能制御処理手順
次に、上述したルーチンＲＴ１の無線音声出力機能設定処理手順を実行した後に、ヘッドホン４が挿着されたときの無線音声出力機能制御処理手順と、ヘッドホン４が脱着されたときの無線音声出力機能制御処理手順とを場合分けして具体的に説明する。
【００３３】
（３−１）ヘッドホン挿着時の無線音声出力機能制御処理手順
図５に示すように携帯型オーディオプレーヤ２の制御用マイクロコンピュータ１０は、ルーチンＲＴ２の開始ステップから入って次のステップＳＰ１１へ移り、無線音声送受信部１４による無線音声出力機能を用いて据置型オーディオ機器３に対して無線音声出力を行うことにより当該据置型オーディオ機器３のスピーカ２３から再生音を出力させ、次のステップＳＰ１２へ移る。
【００３４】
ステップＳＰ１２において携帯型オーディオプレーヤ２の制御用マイクロコンピュータ１０は、ヘッドホン４のプラグがヘッドホン端子１６に挿着された接続状態にあるか否かを判定し、否定結果が得られると、このことはヘッドホン４とヘッドホン端子１６とが非接続状態であることを表しており、このときステップＳＰ１７へ移って、無線音声送受信部１４による無線音声出力をそのまま継続し、次のステップＳＰ１８へ移って処理を終了する。
【００３５】
これに対してステップＳＰ１２で肯定結果が得られると、このことはヘッドホン４とヘッドホン端子１６とが接続状態にあることを表しており、このとき携帯型オーディオプレーヤ２の制御用マイクロコンピュータ１０は、次のステップＳＰ１３へ移る。
【００３６】
ステップＳＰ１３において携帯型オーディオプレーヤ２の制御用マイクロコンピュータ１０は、ヘッドホン端子１６にヘッドホン４が挿着されたと認識し、そのヘッドホン４に対して再生音の出力を開始し、次のステップＳＰ１４へ移る。
【００３７】
ステップＳＰ１４において携帯型オーディオプレーヤ２の制御用マイクロコンピュータ１０は、無線音声送受信部１４による無線音声出力機能がオートモードに設定されているか否かを判定し、肯定結果が得られると次のステップＳＰ１５へ移る。
【００３８】
ステップＳＰ１５において携帯型オーディオプレーヤ２の制御用マイクロコンピュータ１０は、無線音声送受信部１４による無線音声出力を行っている最中に、ヘッドホン４が挿着されたので、図２に示したようなオートモードのシーケンスに従って、無線音声送受信部１４の無線音声出力を停止し、次のステップＳＰ１８へ移って処理を終了する。
【００３９】
これに対してステップＳＰ１４で否定結果が得られると、このことはオートモードではなくロックモードに設定されていることを表しており、このとき携帯型オーディオプレーヤ２の制御用マイクロコンピュータ１０は、次のステップＳＰ１６へ移る。
【００４０】
ステップＳＰ１６において携帯型オーディオプレーヤ２の制御用マイクロコンピュータ１０は、ロックモードにおける無線音声送受信部１４の無線音声出力がオン状態に設定されているか否かを判定し、否定結果が得られるとステップＳＰ１５へ移り、肯定結果が得られると次のステップＳＰ１７へ移る。
【００４１】
この場合ステップＳＰ１５において携帯型オーディオプレーヤ２の制御用マイクロコンピュータ１０は、ロックモードにおける無線音声送受信部１４の無線音声出力がオフ状態に設定されているので、ヘッドホン４の接続状態が検出されたことをトリガーとして、無線音声送受信部１４の無線音声出力を停止し、次のステップＳＰ１８へ移って処理を終了する。
【００４２】
ステップＳＰ１７において携帯型オーディオプレーヤ２の制御用マイクロコンピュータ１０は、ロックモードにおける無線音声送受信部１４の無線音声出力がオン状態に設定されているので、ヘッドホン４に対する再生音の出力を行いながら、無線音声送受信部１４による無線音声出力をそのまま継続し、次のステップＳＰ１８へ移って処理を終了する。
【００４３】
すなわち携帯型オーディオプレーヤ２の制御用マイクロコンピュータ１０は、無線音声送受信部１４による無線音声出力を行っている最中に、ヘッドホン４が挿着されると、オートモードのときは無線音声出力を停止するのに対し、ロックモードのときは無線音声出力がオフ状態であれば同様に無線音声出力を停止するが、無線音声出力がオン状態であればヘッドホン４に対して再生音を出力しながら無線音声出力についてもそのまま継続し得るようになされている。
【００４４】
（３−２）ヘッドホン脱着時の無線音声出力機能制御処理手順
図６に示すように携帯型オーディオプレーヤ２の制御用マイクロコンピュータ１０は、ルーチンＲＴ３の開始ステップから入って次のステップＳＰ２１へ移り、ヘッドホン４が挿着されているときに当該ヘッドホン４に対して再生音を出力させ、次のステップＳＰ２２へ移る。
【００４５】
ステップＳＰ２２において携帯型オーディオプレーヤ２の制御用マイクロコンピュータ１０は、ヘッドホン４のプラグがヘッドホン端子１６から脱着されたか否かを判定し、否定結果が得られると、次のステップＳＰ２３へ移り、ステップＳＰ２１と同様に、ヘッドホン４に対する再生音の出力を継続し続けたまま、次のステップＳＰ３５へ移って処理を終了する。
【００４６】
これに対してステップＳＰ２２で肯定結果が得られると、携帯型オーディオプレーヤ２の制御用マイクロコンピュータ１０は、次のステップＳＰ２４へ移り、ヘッドホン４のプラグがヘッドホン端子１６から抜かれたので、当該ヘッドホン４に対する再生音の出力を停止し、次のステップＳＰ２５へ移る。
【００４７】
ステップＳＰ２５において携帯型オーディオプレーヤ２の制御用マイクロコンピュータ１０は、無線音声送受信部１４による無線音声出力機能がオートモードであるか否かを判定し、否定結果が得られると、このことはオートモードではなくロックモードが設定されていることを表しており、このとき次のステップＳＰ２６へ移る。
【００４８】
ステップＳＰ２６において携帯型オーディオプレーヤ２の制御用マイクロコンピュータ１０は、ロックモードにおける無線音声送受信部１４の無線音声出力がオン状態に設定されているか否かを判定し、肯定結果が得られると次のステップＳＰ２７へ移る。
【００４９】
ステップＳＰ２７において携帯型オーディオプレーヤ２の制御用マイクロコンピュータ１０は、ロックモードにおける無線音声送受信部１４の無線音声出力がオン状態に設定されているので、ヘッドホン４に対する再生音の出力を停止したまま、無線音声送受信部１４による据置型オーディオ機器３への無線音声出力を開始し、次のステップＳＰ３５へ移って処理を終了する。
【００５０】
一方、ステップＳＰ２６で否定結果が得られると、このことはロックモードにおける無線音声送受信部１４の無線音声出力がオフ状態に設定されているので、次のステップＳＰ３１へ移る。
【００５１】
ところでステップＳＰ２５で肯定結果が得られると、このことは無線音声送受信部１４による無線音声出力機能がオートモードではなく、ロックモードであることを表しており、このとき携帯型オーディオプレーヤ２の制御用マイクロコンピュータ１０は、次のステップＳＰ２８へ移る。
【００５２】
ステップＳＰ２８において携帯型オーディオプレーヤ２の制御用マイクロコンピュータ１０は、無線音声送受信部１４から無線送信される再生信号を受信可能な機器（この場合、据置型オーディオ機器３）が周囲に存在するか否かを探索し、次のステップＳＰ２９へ移る。
【００５３】
ここで携帯型オーディオプレーヤ２の制御用マイクロコンピュータ１０が、無線音声送受信部１４から無線送信する再生信号を受信する機器（据置型オーディオ機器３）が周囲に存在するか否かを探索するときの探索処理シーケンスについて説明する。
【００５４】
図７に示すように携帯型オーディオプレーヤ２の制御用マイクロコンピュータ１０は、ステップＳＰ５１において無線音声受信可能な機器（据置型オーディオ機器３）が周囲に存在するかを確認するための探索要求信号を送信する。
【００５５】
このとき据置型オーディオ機器３は、ステップＳＰ６１において、携帯型オーディオプレーヤ２から上述の探索要求信号を無線音声送受信部２２によって受信した場合、その探索要求信号に対する応答信号を生成して当該無線音声送受信部２２から携帯型オーディオプレーヤ２へ送信する。
【００５６】
ステップＳＰ５２において携帯型オーディオプレーヤ２の制御用マイクロコンピュータ１０は、据置型オーディオ機器３から応答信号を受信すると、無線音声受信可能な機器（据置型オーディオ機器３）が存在することを認識し、その据置型オーディオ機器３の機器性能を確認するための確認要求信号を無線音声送受信部１４から送信する。
【００５７】
ステップＳＰ６２において据置型オーディオ機器３は、携帯型オーディオプレーヤ２から受信した確認要求信号に対して、当該携帯型オーディオプレーヤ２から無線送信されてくる再生信号を受信可能であることを意味する応答信号を当該携帯型オーディオプレーヤ２へ通知する。
【００５８】
ステップＳＰ５３において携帯型オーディオプレーヤ２の制御用マイクロコンピュータ１０は、据置型オーディオ機器３からの応答信号を受信すると、当該据置型オーディオ機器３に対して無線通信接続を要求する。
【００５９】
これにより携帯型オーディオプレーヤ２及び据置型オーディオ機器３は、相互に無線通信接続のためのＰＩＮ(Personal Identity Number)コードすなわちパスワードを交換することにより認証を行い、携帯型オーディオプレーヤ２の制御用マイクロコンピュータ１０は次のステップＳＰ５４へ移って探索処理シーケンスを終了し、据置型オーディオ機器３は次のステップＳＰ６３へ移る。
【００６０】
ステップＳＰ６３において据置型オーディオ機器３は、携帯型オーディオプレーヤ２からの無線通信接続要求に対して接続することを承諾し、その旨を意味する応答信号を携帯型オーディオプレーヤ２へ送信し、次のステップＳＰ６４へ移って探索処理シーケンスを終了する。
【００６１】
ステップＳＰ２９（図６）において携帯型オーディオプレーヤ２の制御用マイクロコンピュータ１０は、上述した探索処理シーケンスにより、無線音声送受信部１４から無線送信される再生信号を受信可能な機器（据置型オーディオ機器３）が周囲に発見できたか否かを判定し、肯定結果が得られると次のステップＳＰ３０へ移る。
【００６２】
ステップＳＰ３０において携帯型オーディオプレーヤ２の制御用マイクロコンピュータ１０は、無線音声送受信部１４から無線送信される再生信号を受信可能な機器（据置型オーディオ機器３）に対して無線音声出力を開始し、次のステップＳＰ３５へ移って処理を終了する。
【００６３】
これに対してステップＳＰ２９で否定結果が得られると、このことは無線音声送受信部１４から無線送信される再生信号を受信可能な機器（据置型オーディオ機器３）が周囲に存在していないことを表しており、このとき携帯型オーディオプレーヤ２の制御用マイクロコンピュータ１０は、次のステップＳＰ３１へ移る。
【００６４】
ステップＳＰ３１において携帯型オーディオプレーヤ２の制御用マイクロコンピュータ１０は、無線音声出力機能がオートモードの場合であるにも拘わらず再生信号の受信可能な機器（据置型オーディオ機器３）が存在しない場合、又は無線音声出力機能がロックモードで無線音声出力がオフ状態に設定されている場合に、記憶部１５から楽曲データを読み出す再生処理を停止するように予め設定されているか否かを判定する。
【００６５】
ここで否定結果が得られると、携帯型オーディオプレーヤ２の制御用マイクロコンピュータ１０は、ステップＳＰ３３へ移るのに対し、肯定結果が得られると次のステップＳＰ３２へ移って、無駄に記憶部１５から楽曲データを読み出す再生処理については停止し、次のステップＳＰ３３へ移る。
【００６６】
ステップＳＰ３３において携帯型オーディオプレーヤ２の制御用マイクロコンピュータ１０は、無線音声出力機能がオートモードの場合であるにも拘わらず再生信号の受信可能な機器（据置型オーディオ機器３）が存在しない場合、又は無線音声出力機能がロックモードで無線音声出力がオフ状態に設定されている場合、電源部１７をオフ状態に切り換えるように予め設定されているか否かを判定する。
【００６７】
ここで否定結果が得られると、携帯型オーディオプレーヤ２の制御用マイクロコンピュータ１０は、電源部１７による電源供給を継続させたまま、次のステップＳＰ３５へ移って処理を終了するのに対し、肯定結果が得られると次のステップＳＰ３４へ移って電源部１７をオフ状態に切り換えることにより電源を落とし、次のステップＳＰ３５へ移って処理を終了する。
【００６８】
すなわち携帯型オーディオプレーヤ２の制御用マイクロコンピュータ１０は、ヘッドホン４に対して再生音を出力している最中に、ヘッドホン４が脱着されると、オートモードであって、かつ周囲に再生信号の受信可能な機器（据置型オーディオ機器３）を発見できた場合にのみ、無線音声出力を開始し、ロックモードのときは無線音声出力がオン状態であれば無線音声出力を開始するが、無線音声出力がオフ状態であれば楽曲データの再生を停止したり、電源の供給を停止し得るようになされている。
【００６９】
（４）動作及び効果
以上の構成において、携帯型オーディオプレーヤ２の制御用マイクロコンピュータ１０は、無線音声送受信部１４による無線音声出力機能を用い、据置型オーディオ機器３に対して無線音声送受信部１４による無線音声出力を行っている最中に、ヘッドホン４が挿着されると（図５）、当該ヘッドホン４に対して再生音を出力するとともに、オートモードが設定されている場合、自動的に無線音声送受信部１４による無線音声出力を停止する。
【００７０】
また携帯型オーディオプレーヤ２の制御用マイクロコンピュータ１０は、オートモードではなくロックモードで無線音声送受信部１４による無線音声出力がオン状態に設定されている場合、ヘッドホン４に対して再生音を出力しながら、なおかつ無線音声送受信部１４の無線音声出力機能により据置型オーディオ機器３に対して無線音声出力を継続し続ける。
【００７１】
但し、携帯型オーディオプレーヤ２の制御用マイクロコンピュータ１０は、オートモードではなくロックモードで無線音声出力がオフ状態に設定されている場合、ヘッドホン４に対して再生音を出力している間、据置型オーディオ機器３に対する無線音声送受信部１４の無線音声出力を必ず停止する。
【００７２】
すなわち携帯型オーディオプレーヤ２の制御用マイクロコンピュータ１０は、オートモードの場合と、ロックモードの無線音声出力がオフ状態に設定されている場合とでは、ヘッドホン４に対して再生音を出力するが、据置型オーディオ機器３への無線音声出力を停止する点で共通する。
【００７３】
また携帯型オーディオプレーヤ２の制御用マイクロコンピュータ１０は、ヘッドホン４に対して再生音の出力中に、ヘッドホン４のプラグがヘッドホン端子１６から抜かれると（図６）、ヘッドホン４に対する再生音の出力を停止し、無線音声送受信部１４による無線音声出力機能がオートモードの場合、周辺の無線音声受信可能な機器として据置型オーディオ機器３を探索して発見できたときのみ無線音声送受信部１４の無線音声出力を開始することにより、据置型オーディオ機器３が存在しないときにまで無駄に無線音声出力を開始して消費電力を浪費することを未然に回避することができる。
【００７４】
さらに携帯型オーディオプレーヤ２の制御用マイクロコンピュータ１０は、ヘッドホン４に対して再生音の出力中に、ヘッドホン４のプラグがヘッドホン端子１６から抜かれると（図６）、ヘッドホン４に対する再生音の出力を停止し、無線音声送受信部１４による無線音声出力機能がロックモードの場合で無線音声出力がオン状態に設定されていれば、無線音声送受信部１４の無線音声出力を開始する。
【００７５】
この場合、携帯型オーディオプレーヤ２の制御用マイクロコンピュータ１０は、ロックモードであるため、周囲に無線音声受信可能な機器として据置型オーディオ機器３が存在するか否かに拘わらず、無線音声送受信部１４による無線音声出力を開始する。
【００７６】
しかしながら携帯型オーディオプレーヤ２の制御用マイクロコンピュータ１０は、ヘッドホン４に対して再生音の出力中に、ヘッドホン４のプラグがヘッドホン端子１６から抜かれると（図６）、ヘッドホン４に対する再生音の出力を停止し、無線音声送受信部１４による無線音声出力機能がロックモードの場合で無線音声出力がオフ状態に設定されていれば、記憶部１５から音楽データを読み出す再生処理を停止したり、電源部１７をオフ状態に切り換えることにより、ヘッドホン４に対する再生音の出力を行わず、無線音声出力をも実行しない関係上、無駄な電力消費を確実に低減することができる。
【００７７】
更に携帯型オーディオプレーヤ２の制御用マイクロコンピュータ１０は、無線音声送受信部１４から無線送信される再生信号を受信可能な機器として据置型オーディオ機器３を発見して認証を得たときのみ、無線音声送受信部１４から当該据置型オーディオ機器３に対して再生信号を無線送信するようにしたことにより、認証し得ない不特定の他人の機器に対して誤って再生信号を無線送信することを未然に回避することができる。
【００７８】
特に、再生信号の受信可能な機器がブルートゥース等の無線通信可能なヘッドホンであった場合、携帯型オーディオプレーヤ２の制御用マイクロコンピュータ１０は、電車内等のユーザ同士が近接した位置に存在する他のユーザの無線通信可能なヘッドホンに対して再生信号を誤送信せずに済む。
【００７９】
以上の構成によれば、携帯型オーディオプレーヤ２の制御用マイクロコンピュータ１０は、ヘッドホン４が接続状態にあるか、或いは非接続状態にあるかを検出し、その検出結果に応じて無線音声送受信部１４による無線音声出力を開始させるか停止させるかを自動的に切り換えることができるので、面倒なメニュー設定等をユーザに強いることなく、ヘッドホン４を挿着する又は脱着するという自然な操作のなかでユーザに意識させることなく据置型オーディオ機器３に対する無線音声出力を制御することができる。
【００８０】
（５）他の実施の形態
なお上述の実施の形態においては、携帯型オーディオプレーヤ２の制御用マイクロコンピュータ１０は、無線音声送受信部１４から無線送信される再生信号を受信可能な機器として据置型オーディオ機器３を周囲に存在するか否かを無作為に探索するようにした場合について述べたが、本発明はこれに限らず、過去に一度無線通信接続した機器があるときには、その機器固有の識別情報やパスコードを記憶しておき、その識別情報やパスコードに基づいて探索し、無線通信接続するようにしても良い。
【００８１】
また上述の実施の形態においては、オーディオシステム１の携帯型オーディオプレーヤ２から据置型オーディオ機器３に対して無線音声出力するようにした場合について述べたが、本発明はこれに限らず、複数のフロントスピーカと、複数のリアスピーカとオーディオ装置とからなるホームシアターシステムにおいて、ヘッドホン４がオーディオ装置から取り外されたときに、フロントスピーカからリアスピーカへ再生音を自動的に無線音声出力するようにしても良い。
【００８２】
さらに上述の実施の形態においては、ブルートゥース（登録商標）等の無線音声送受信部１４を用いるようにした場合について述べたが、本発明はこれに限らず、赤外線、無線ＬＡＮ(Local Area Network)等のその他種々の無線音声送受信部１４を用いるようにしても良い。
【００８３】
さらに上述の実施の形態においては、本発明のオーディオ装置として携帯型オーディオプレーヤ２を用いるようにした場合について述べたが、本発明はこれに限らず、ヘッドホン端子１６が設けられたオーディオ出力可能な携帯電話機、ゲーム機、携帯型テレビ、携帯型ラジオ、携帯型カーナビゲーションシステム等のその他種々の電子機器に用いるようにしても良い。
【００８４】
さらに上述の実施の形態においては、音声出力手段としてヘッドホン４を用いるようにした場合について述べたが、本発明はこれに限らず、イヤホン等のその他種々の音声出力手段を用いるようにしても良い。
【００８５】
さらに上述の実施の形態においては、音声出力端子としてのヘッドホン端子１６、接続状態検出手段としての制御用マイクロコンピュータ１０、無線音声出力手段としての無線音声送受信部１４、制御手段としての制御用マイクロコンピュータ１０によって本発明のオーディオ装置としての携帯型オーディオプレーヤ２を構成するようにした場合について述べたが、本発明はこれに限らず、その他種々の構成でなる音声出力端子、接続状態検出手段、無線音声出力手段及び制御手段によって本発明のオーディオ装置を構成するようにしても良い。
【産業上の利用可能性】
【００８６】
本発明のオーディオ装置、無線音声出力制御方法及び無線音声出力制御プログラムは、例えばオーディオ装置以外の携帯型テレビ、携帯型ラジオ、携帯電話機、携帯型カーナビゲーションシステム及び携帯型ゲーム機等のその他種々の電子機器に適用することができる。
【図面の簡単な説明】
【００８７】
【図１】本発明におけるオーディオシステムを示す略線的ブロック図である。
【図２】ヘッドホン接続時の無線音声出力状態を示す略線図である。
【図３】ヘッドホン非接続時の無線音声出力状態を示す略線図である。
【図４】無線音声出力機能設定処理手順を示すフローチャートである。
【図５】ヘッドホン挿着時の無線音声出力機能制御処理手順を示すフローチャートである。
【図６】ヘッドホン脱着時の無線音声出力機能制御処理手順を示すフローチャートである。
【図７】探索処理シーケンスを示すシーケンスチャートである。
【符号の説明】
【００８８】
１……オーディオシステム、２……携帯型オーディオプレーヤ、３……据置型オーディオ機器、４……ヘッドホン、１０……制御用マイクロコンピュータ、１１、２１……音声出力用アンプ、１２……入力部、１３……表示部、１４、２２……無線音声送受信部、１５……記憶部、１６……ヘッドホン端子、１７……電源部、２３……スピーカ。
【図１】
2008035400.tif 000003
【図２】
2008035400.tif 000004
【図３】
2008035400.tif 000005
【図４】
2008035400.tif 000006
【図５】
2008035400.tif 000007
【図６】
2008035400.tif 000008
【図７】
2008035400.tif 000009